(57)【要約】【課題】  貯留タンクから落下した遊技球が遊技機本体部と遊技機本体部背面側の装備部品間に入り込むことを防止する。【解決手段】  遊技機本体部３における背面側の上部に配置され、開口部４００ａを介して島設備から受け入れた遊技球が貯留される貯留タンク４００と、貯留タンク４００の側方において貯留タンク４００との間隔を遊技球の直径よりも狭くして配置され、貯留タンク４００から落下した遊技球の遊技機本体部３側への移動を規制する遊技球移動規制部１２０とを有する構成とする。遊技球移動規制部１２０は、遊技部品を保護するカバー部材となっている。【選択図】        図７
2006271733.tif 000002
【特許請求の範囲】
【請求項１】
遊技機本体部と、
前記遊技機本体部における背面側の上部に配置され、開口部を介して島設備から受け入れた遊技球が貯留される貯留タンクと、
前記貯留タンクの側方において前記貯留タンクとの間隔を遊技球の直径よりも狭くして配置され、前記貯留タンクから落下した遊技球の前記遊技機本体部側への移動を規制する遊技球移動規制部と、
を有することを特徴とする遊技機。
【請求項２】
前記遊技球移動規制部は、遊技部品を保護するカバー部材であることを特徴とする請求項１記載の遊技機。
【請求項３】
前記遊技球移動規制部は、前記遊技機本体部の外側へ遊技球を案内する斜面を有することを特徴とする請求項１または２記載の遊技機。
【請求項４】
前記斜面には、遊技球を整流して案内する案内路が形成されていることを特徴とする請求項３記載の遊技機。
【請求項５】
前記貯留タンクの下方に配置され、前記貯留タンクに貯留された遊技球を整列して払出装置に案内する整流樋を備え、
前記遊技球移動規制部は、前記整流樋の上方において当該整流樋に対して遊技球の直径よりも狭い間隔で位置していることを特徴とする請求項１〜４の何れか一項に記載の遊技機。
【発明の詳細な説明】
【技術分野】
【０００１】
本発明は遊技機に関し、特に、遊技媒体として遊技球を用いて遊技を行う遊技機において島設備から供給された遊技球の遊技機内部への入り込み防止に適用して有効な技術に関するものである。
【背景技術】
【０００２】
遊技媒体として遊技球が用いられる遊技機では、例えば特開２００２−２００２８７号公報に記載されているように、遊技機本体部を構成するベース枠背面側の上部に、島設備から供給される遊技球が貯留される貯留タンクが設けられており、その下部に、貯留タンクから払出装置へと遊技球を整流しながら案内する整流樋が備えられている。また、貯留タンクの側方には、遊技機の様々な信号をホール側へ出力するための出力コネクタを有する中継基板等が設けられている場合が多い。
【特許文献１】特開２００２−２００２８７号公報
【発明の開示】
【発明が解決しようとする課題】
【０００３】
遊技球は島設備側の球供給配管から遊技機の貯留タンクに落下供給されるために、前述した構造の遊技機では、島設備から貯留タンクに遊技球を供給する際に、遊技球が貯留タンクからこぼれてタンク外に出てしまうことがある。
【０００４】
このように貯留タンク外に落ちた遊技球の一部は、ベース枠と整流樋との間など、ベース枠背面側に装備された部品の間に入り込んでしまい、導体である遊技球が信号の経路を短絡してしまい導通不良などの不具合を招くおそれがある。
【０００５】
一方、一旦装備部品間に入り込んでしまった遊技球は、入り込んだ場所によっては容易に取り除くことが困難な場合がある。
【０００６】
そこで、本発明は、貯留タンクから落下した遊技球が遊技機本体部と遊技機本体部背面側の装備部品間に入り込むことを防止できる遊技機を提供することを目的とする。
【課題を解決するための手段】
【０００７】
上記課題を解決するため、請求項１に記載の本発明の遊技機は、遊技機本体部と、遊技機本体部における背面側の上部に配置され、開口部を介して島設備から受け入れた遊技球が貯留される貯留タンクと、貯留タンクの側方において貯留タンクとの間隔を遊技球の直径よりも狭くして配置され、貯留タンクから落下した遊技球の遊技機本体部側への移動を規制する遊技球移動規制部とを有することを特徴とする。
【０００８】
これにより、貯留タンクと遊技球移動規制部との間隔が遊技球の直径よりも狭くなっているので、貯留タンクから落下した遊技球が遊技機本体部と遊技機本体部背面側の装備部品間に入り込むことを防止できる。
【０００９】
請求項２に記載の本発明は、請求項１記載の発明の構成に加えて、遊技球移動規制部は、遊技部品を保護するカバー部材であることを特徴とする。
【００１０】
これにより、遊技球移動規制部が遊技部品保護のためのカバー部材を兼用しているので、別途遊技部品用のカバーが必要なくなるとともに、遊技球移動規制部で遊技部品を遊技球から保護することが可能になる。
【００１１】
請求項３に記載の本発明は、請求項１または２記載の発明の構成に加えて、遊技球移動規制部は、遊技機本体部の外側へ遊技球を案内する斜面を有することを特徴とする。
【００１２】
これにより、貯留タンクから落下した遊技球が遊技機本体部の外側へと案内されるので、遊技球が遊技機本体部と遊技機本体部背面側の装備部品間に入り込むことをさらに有効に防止できる。
【００１３】
請求項４に記載の本発明は、請求項３記載の発明の構成に加えて、斜面には、遊技球を整流して案内する案内路が形成されていることを特徴とする。
【００１４】
これにより、遊技球が案内路によって整流されるので、斜面に乗った遊技球が無秩序な方向に向かうことが防止され、遊技球をより効果的に遊技機本体部の外側に案内することができる。
【００１５】
請求項５に記載の本発明は、請求項１〜４の何れか一項に記載の発明の構成に加えて、貯留タンクの下方に配置され、貯留タンクに貯留された遊技球を整列して払出装置に案内する整流樋を備え、遊技球移動規制部は、整流樋の上方においてこの整流樋に対して遊技球の直径よりも狭い間隔で位置していることを特徴とする。
【００１６】
これにより、遊技球が入り込みやすい整流樋の上方に対して、遊技球が入り込むことを防止することが可能になる。
【発明の効果】
【００１７】
本発明によれば以下の効果を奏することができる。
【００１８】
すなわち、本発明によれば、貯留タンクと遊技球移動規制部との間隔が遊技球の直径よりも狭くなっているので、貯留タンクから落下した遊技球が遊技機本体部と遊技機本体部背面側の装備部品間に入り込むことを防止できる。
【発明を実施するための最良の形態】
【００１９】
以下、本発明を実施するための最良の形態を、図面を参照しつつさらに具体的に説明する。ここで、添付図面において同一の部材には同一の符号を付しており、また、重複した説明は省略されている。なお、ここでの説明は本発明が実施される最良の形態であることから、本発明は当該形態に限定されるものではない。
【００２０】
図１は本発明の一実施の形態である遊技機を示す斜視図、図２は図１に示した遊技機の正面図、図３は図１の遊技機のベースドアの背面側を示す図、図４は図３の分解斜視図、図５は図１の遊技機におけるベースドアの背面側に設けられた部材の一部を示す分解斜視図、図６は図１の遊技機におけるベースドアの背面側に取り付けられた遊技球移動規制部と中継基板のコネクタベースとを示す分解斜視図、図７は図１の遊技機におけるベースドアの背面側の要部を示す正面図、図８は図７の平面図、図９は図７の斜視図である。
【００２１】
図１および図２に示すように、パチンコ遊技機（遊技機）１は、遊技盤２（図２）が装着されるベースドア３ａがヒンジ（図示せず）を介して島設備に固定されるベース枠３ｂに回動可能に取り付けられ（すなわち、ベースドア３ａは、ベースドア３ａの一方端を回動支点として支持されて当該ベース枠３ｂに開閉自在に支持されて装着される。）、これらベースドア３ａおよびベース枠３ｂで遊技機本体部３が構成されている。そして、このような遊技機本体部３のベースドア３ａに対して、スピーカ（図示せず）、液晶表示装置（ＬＣＤ）２１、遊技盤２を視認可能に被うガラス扉９、上皿部４、下皿部５、カバー６およびハンドル７が備えられている。
【００２２】
遊技盤２は、図２に示すように、レール１１に包囲され、遊技球の流下が可能な遊技領域２ａを有している。そして、その遊技領域２ａには、多数の遊技くぎや風車などの障害物（図示せず）、一般入賞口１２、通過ゲート１３、大入賞口１５、アウト口１６、始動入賞口１４，１７を有する電動役物構成部材１８からなる遊技部材が配置されている。
【００２３】
ここで、一般入賞口１２は、遊技球が入賞すると所定の数の遊技球が払い戻される装置、通過ゲート１３は、遊技球が通過したことを契機として普通図柄表示領域に表示される複数の図柄を変動および停止させるための装置、始動入賞口１７は、遊技球が入賞したことを条件として特別図柄表示領域に表示される特別図柄を変動および停止させるための装置、大入賞口１５は、特別図柄表示領域の停止時における特別図柄の組み合わせが予め設定された特定の図柄の組み合わせ（大当り表示態様）となって大当り遊技状態（大当り遊技状態とは、いわゆる大当りが発生した状態をいう。）に移行した場合に、所定の設定に従って所定条件の下所定回数だけ扉が開閉（すなわち、所定時間内に大入賞口１５の特定領域を通過する遊技球数が１以上である場合に限り（いわゆるパンクが発生しない限り）所定回数だけ大入賞口１５が開放し、遊技球を受け入れ易い開放状態と、受け入れ難い閉鎖状態とに所定回数だけ変化する。なお、開放状態と、閉鎖状態とに変化する動作をラウンド動作という。）するように制御される装置である。
【００２４】
また、アウト口１６は、一般入賞口１２、始動入賞口１４，１７、大入賞口１５の何れにも入賞しなかった遊技球が流入して回収される装置である。
【００２５】
通過ゲート１３は、通過する遊技球を検出するようになっている。この通過ゲート１３を通過した遊技球は通過記憶として記憶することが可能となっており、この通過記憶情報に基づいて、普通図柄表示領域における図柄の変動表示が行なわれる。また、遊技領域２ａの右側上部には、通過ゲート１３の通過記憶個数を表示する４個の普通図柄記憶ＬＥＤ（図示せず）が設けられている。この普通図柄記憶ＬＥＤの点灯個数により、通過ゲート１３を通過した遊技球の通過記憶個数を表示することができる。
【００２６】
普通図柄表示領域では、例えば２個の普通図柄が交互に点滅するようになっており、２個の普通図柄の点滅が終了して「当り」が表示された場合に、電動役物構成部材１８に設けられた始動入賞口１７が、所定時間だけ遊技球を受け入れ易い状態に切り換わる。
【００２７】
なお、上記普通図柄表示領域の替わりに、遊技盤２の任意の場所に２個の普通図柄表示ＬＥＤを備え、このＬＥＤの点滅により「当り」を表示してもよい。また、この２個の普通図柄表示ＬＥＤを例えば７セグメント表示器等により構成することもできる。この場合には、７セグメント表示器に表示する普通図柄として、例えば「０」、「１」、「２」、・・・「７」、「８」、「９」等の数字を変動表示し、停止表示された数字が「３」あるいは「７」となった場合を「当り」とする。
【００２８】
始動入賞口１７は、遊技球を受け入れる受け入れ口を有しており、遊技球を受け入れ易い状態と、遊技球を受け入れ難い状態との間で切換可能な開閉機構を備えた装置である。この始動入賞口１７は、通常の状態では遊技球を受け入れ難い状態となっており、所定の条件が成立した場合（例えば、普通図柄表示領域の普通図柄が、「当り」を意味する図柄で停止した場合）に、所定時間（例えば、０．３秒間）だけ開いて遊技球を受け入れ易い状態に切り換えられる。なお、当該受け入れ口に遊技球が入賞すると所定の数の遊技球が払い戻される。
【００２９】
また、始動入賞口１４，１７への入賞球は入賞記憶可能となっており、この入賞記憶に基づいて、特別図柄表示領域における特別図柄の変動表示が行なわれる。遊技領域２ａの中央部には、始動入賞口１４，１７への入賞記憶個数を表示する４個の特別図柄記憶ＬＥＤ（図示せず）が設けられている。この特別図柄記憶ＬＥＤの点灯個数により、始動入賞口１４，１７への入賞記憶個数を表示することができる。
【００３０】
また、特別図柄表示領域に表示される特別図柄は、例えば「０」、「１」、「２」・・・「９」等の３列の数字からなり、始動入賞口１７へ遊技球が入賞することを契機としてこれらの数字が変動表示されるようになっている。なお、これらの数字の変動表示が終了し、その変動表示結果（すなわち、停止表示された数字の組み合わせ。停止図柄ともいう。）が『「０」「０」「０」』、『「７」「７」「７」』等のように３個とも同一の数字となった場合の特別図柄の組み合わせを大当り表示態様（大当り図柄）という。この大当り表示態様は、遊技状態が、通常遊技状態と比較して遊技者に有利な大当り遊技状態に移行したこと（すなわち「大当り」となったこと）を遊技者に認識させるための表示態様である。なお、大当り表示態様以外の変動表示結果を非大当り表示態様（はずれ図柄）という。
【００３１】
また、大当り遊技状態とは、大入賞口１５の扉が所定回数だけ開閉されることで、通常遊技状態よりも多くの遊技球を入賞させやすくする遊技状態のことである。
【００３２】
なお、大当り遊技状態に移行したことを遊技者に認識させるための上記大当り表示態様は、確率変動大当りを示す表示態様である特別表示態様（確変大当り図柄）と、通常の大当りを示す表示態様である非特別表示態様（通常大当り図柄）とに分かれている。
【００３３】
また、特別表示態様は、「７」や「３」等の所定の数字が３個揃った場合をいい、一方、非特別表示態様は、特別表示態様以外の数字や図柄が３個揃った場合をいう。
【００３４】
なお、特別図柄の変動表示結果が特別表示態様となると（すなわち、確率変動大当りとなると）、大当り遊技状態終了後、特別図柄表示領域における特別図柄の変動表示結果が大当り表示態様となる確率の高い特別遊技状態（確率変動状態）へ移行される。一方、特別図柄の表示態様が非特別表示態様となると（すなわち、通常の大当りとなると）、大当り遊技状態終了後は通常の遊技状態へ移行される。
【００３５】
なお、本実施の形態において、上述した入賞記憶個数や通過記憶個数は、それぞれ普通図柄記憶ＬＥＤ、特別図柄記憶ＬＥＤに表示されるようになっているが、これに限られず、他の表示方法により表示されてもよい。例えば、表示領域２１ａに表示されるようになっていてもよい。
【００３６】
また、遊技盤２の背面には、演出画像（例えば、遊技状態に対応したアニメーションやその他の報知情報など。以下、「演出情報画像」という。）等を表示可能な表示領域２１ａを備えた表示装置である液晶表示装置（ＬＣＤ）２１が配置されている。液晶表示装置２１は任意の画像を表示領域２１ａに表示する。
【００３７】
なお、液晶表示装置２１の表示領域２１ａは、演出画像やその他の報知情報を表示する情報表示領域と、普通図柄の変動表示を行う普通図柄表示領域（普通図柄表示装置）と、特別図柄（識別図柄）の変動表示を行う特別図柄表示領域（特別図柄表示装置）とからなっている。
【００３８】
本実施の形態において、角形の形状をしている表示領域２１ａは、遊技領域２ａより大きくともよいし、小さくともよい。また、表示領域２１ａの形状は角形に限定されず、他の形状であってもよい。例えば、円形であってもよい。
【００３９】
また、遊技盤２が透明である本実施の形態では、液晶表示装置２１の表示領域２１ａが遊技盤２を通して視認可能に配置されている。また、液晶表示装置２１にかえて、例えばＣＲＴ（陰極線管）あるいはプラズマディスプレイ等を用いることもできる。
【００４０】
また、図１および図２に示すように、ガラス扉９および上皿部４は一体化して形成されており、この一体化された開閉扉（開閉体）は、その一端がベースドア３ａに回動可能に軸支され、他端がベースドア３ａに係合するようになっている。なお、ガラス扉９は、可動可能に設けられた遊技盤２を視認可能に被うものである。
【００４１】
上皿部４はガラス扉９の下側に位置し、払い出された遊技球および遊技領域２ａに打ち込まれる遊技球が貯留される上皿４ａを有している。上皿部４の所定の位置に、遊技終了時などにおいて上皿４ａに貯留された遊技球を後述する下皿５ａに移動させて取り出す場合に操作されるシャッタレバー８が設けられている。
【００４２】
上皿部４の下側に位置する下皿部５は、ベースドア３ａに固定されており、払い出しにより上皿４ａからオーバーフローした遊技球が貯留される下皿５ａを有している。
【００４３】
下皿部５の右側に設けられたハンドル７は、レール１１（図２）を介して遊技盤２の遊技領域２ａへ遊技球を打ち込む際に回動操作されるものであり、遊技球の発射を停止させるストップボタン（図示せず）が設けられている。
【００４４】
ガラス扉９の上側に位置するカバー６はベースドア３ａに固定されており、カバー６の左右の部位６ａ，６ｂは、ベースドア３ａに設けられる左右のスピーカにそれぞれ対応して、スピーカからの音声が聞こえるような構造になっている。
【００４５】
次に、図３および図４を用いてベースドア３ａの背面側の構成について説明する。
【００４６】
図３および図４に示すベースドア３ａ背面側において、向かって右側がヒンジ側（ヒンジを介してベース枠３ｂに回動可能に支持されて装着されている側、すなわち、回動支点として支持される側）であり、左側が開閉端側である。なお、遊技機内部が開放される場合は、開閉端側から開放される。
【００４７】
また、同図に示すように、ベースドア３ａの背面には、遊技機１の動作を実現するためのさまざまな電子部品や電子部品等を実装した基板等（装備部品）が搭載されている。
【００４８】
例えば、ベースドア３ａの背面中央には、主制御基板（図示せず）を保持する主制御基板ケース１００が、ベースドア３ａの背面の中央よりやや上右側には枠中継基板を搭載する枠中継基板ケースが、ベースドア３ａの背面の中央よりやや下左側には電源基板（図示せず）を保持する電源基板ケース１５０が、そして、ベースドア３ａの背面の中央よりやや下右側には、払出制御基板を保持する払出基板ケースがそれぞれ搭載されている。そして、これらのケースは基板ケースカバー５００に覆われて保護されている。なお、基板ケースカバー５００に覆われているのは、これらの基板に限られるものではなく、他の様々な基板を覆うようにすることができる。
【００４９】
ここで、主制御基板は、パチンコ機１の遊技の進行を制御する主制御回路が搭載された基板である。枠中継基板は、ＡＣ電源の取り込みや基板間の信号の中継を行う基板である。電源基板は、各電子部品が動作するために必要な電圧の電源を生成する基板である。また、払出制御基板は、賞球や貸球等を下皿部５に向けて払い出す払出装置を駆動制御する基板である。
【００５０】
ベースドア３ａの背面側の上部には、開口部４００ａを介して島設備から受け入れた遊技球が貯留される貯留タンク４００が配置されている。島設備から貯留タンク４００の開口部４００ａに対して、遊技球を供給するための屈撓自在な球供給配管（図示せず）が開口しており、遊技球はこの球供給配管から貯留タンク４００に対して落下供給される。
【００５１】
貯留タンク４００の下方には、このようにして貯留タンク４００に貯留された遊技球を払出装置７００に案内する整流樋６００が設けられている。整流樋６００の底面には、遊技球を整列して流下させるガイドレール６００ａが形成されており、貯留タンク４００からの遊技球はガイドレール６００ａにより整流され、下流に配置された払出装置７００へと案内される。
【００５２】
そして、貯留タンク４００の側方には、遊技機の様々な信号をホールコンピュータへ出力するための出力コネクタ１１０ａ−１の搭載されたコネクタベース１１０ａを備えた中継基板（遊技部品）１１０が設けられている。この中継基板１１０はカバー部材である遊技球移動規制部１２０で覆われている。
【００５３】
図５に詳しく示すように、中継基板１１０は、前述したコネクタベース１１０ａと、主制御基板と電気的に接続された基板コネクタ１１０ｄが搭載された基板ベース１１０ｂと、基板ベース１１０ｂに取り付けられてこれを覆う基板カバー１１０ｃとからなる。基板カバー１１０ｃにおける基板コネクタ１１０ｄに対応する位置には開口１１０ｃ−１が形成されており、基板カバー１１０ｃを基板ベース１１０ｂに取り付けたならば、基板ベース１１０ｂに搭載された基板コネクタ１１０ｄが開口１１０ｃ−１から露出するようになっている。
【００５４】
基板ベース１１０ｂと基板カバー１１０ｃとは、払出装置７００のベース台７００ａの上部の一方面側に取り付けられる。また、ベース台７００ａの他方面側には、前述したコネクタベース１１０ａが基板ベース１１０ｂと電気的に接続されて取り付けられる。したがって、ベース台７００ａを挟むようにしてコネクタベース１１０ａ、基板ベース１１０ｂおよび基板カバー１１０ｃが当該ベース台７００ａに取り付けられ、中継基板１１０が構成される。
【００５５】
図５および図６に示すように、中継基板１１０を覆う遊技球移動規制部１２０には、コネクタベース１１０ａに搭載された出力コネクタ１１０ａ−１に対応した箇所に開口１２０ａが形成されている。したがって、遊技球移動規制部１２０が中継基板１１０に取り付けられた状態で出力コネクタ１１０ａ−１が露出され、この出力コネクタ１１０ａ−１にホールコンピュータ側のコネクタ（図示せず）が嵌合される。これにより、遊技機の様々な信号が出力コネクタ１１０ａ−１を介してホールコンピュータへ出力される。
【００５６】
このような遊技球移動規制部１２０は、図７および図８に示すように、貯留タンク４００の側方において貯留タンク４００との間隔Ｌ１が遊技球の直径よりも狭くなるように配置されており、島設備から供給されたものの貯留タンク４００から落下してしまった遊技球が遊技機本体部側へ移動するのを規制している。
【００５７】
すなわち、貯留タンク４００と遊技球移動規制部１２０との間隔Ｌ１を遊技球の直径よりも狭くすることにより、貯留タンク４００から落下した遊技球は、遊技球移動規制部１２０に阻止されて遊技機本体部３と遊技機本体部背面側の装備部品との間に入り込むことが物理的にできなくなる。これにより、遊技球が遊技機本体部の背面側に装備された装備部品の間に入り込み、例えば導体である遊技球が信号の経路を短絡してしまい導通不良を発生させるなどの不具合が未然に防止される。
【００５８】
また、遊技球移動規制部１２０は、整流樋６００の上方において、この整流樋６００に対して遊技球の直径よりも狭い間隔Ｌ２で配置されている。このようにすることで、遊技球が入り込みやすい整流樋６００の上方に対しても、遊技球が入り込むことを防止している。
【００５９】
さらに、遊技球移動規制部１２０は、整流樋６００の段差部に対しても、遊技球の直径よりも狭い間隔Ｌ３で配置されており、貯留タンク４００の遊技球移動規制部１２０側端部と整流樋６００の段差部との位置ずれにより生じた隙間からの遊技球の入り込みも阻止している。
【００６０】
ここで、図９に示すように、遊技球移動規制部１２０には、遊技機本体部３の外側へ遊技球を案内するための斜面１２０ｂが形成されている。これにより、貯留タンク４００から落下して遊技球移動規制部１２０に至った遊技球は、斜面１２０ｂを流下して遊技機本体部３の外側へと案内される。したがって、遊技球が遊技機本体部３と遊技機本体部背面側の装備部品間に入り込むことがさらに有効に防止される。
【００６１】
さらに、図示するように、この斜面１２０ｂには、遊技球を整流して案内する案内路１２０ｂ−２が形成されている。すなわち、本実施の形態において、斜面１２０ｂは、上側に位置する平坦路１２０ｂ−１と、下側に位置する案内路１２０ｂ−２からなる。これにより、平坦路１２０ｂ−１に落下した遊技球は案内路１２０ｂ−２によって流下方向が拘束されて整流されることになる。よって、斜面１２０ｂに乗った遊技球が無秩序な方向に向かうことが案内路１２０ｂ−２により防止され、遊技球はより効果的に遊技機本体部３の外側に案内される。
【００６２】
ここで、図示する場合には、斜面１２０ｂは平坦路１２０ｂ−１と案内路１２０ｂ−２とで形成されているが、平坦路をなくして、斜面全体を案内路としてもよい。逆に、案内路をなくして、斜面全体を平坦路としてもよい。
【００６３】
なお、本実施の形態においては、遊技球移動規制部１２０は遊技部品としての中継基板１１０をカバーして保護しているが、一例として挙げた前述の遊技部品、すなわち主制御基板、枠中継基板、電源基板、払出制御基板などをこの位置にレイアウトして保護するようにしていてもよく、中継基板１１０に限定されるものではない。
【００６４】
また、遊技球移動規制部１２０は、特に中継基板１１０などの遊技部品をカバーしていなくてもよい。つまり、遊技球移動規制部１２０は貯留タンク４００から落下した遊技球の遊技機本体部３側への移動を規制する機能を有していれば足り、遊技部品を保護するカバー部材としての機能は必ずしも有していなくてもよい。
【００６５】
但し、遊技球移動規制部１２０が遊技部品を保護するためのカバー部材を兼用するようにすれば、別途遊技部品用のカバーが必要なくなるとともに、遊技球移動規制部１２０で遊技部品を遊技球から保護することが可能になる。
【産業上の利用可能性】
【００６６】
以上の説明においては、本発明を遊技機の一つであるパチンコ機１に適用した場合が説明されているが、本発明はこれに限定されるものではなく、遊技媒体として遊技球を用いて遊技を行う遊技機であれば、例えばゲームセンターに設置された各種ゲーム機など、様々な遊技機に適用することが可能である。
【図面の簡単な説明】
【００６７】
【図１】本発明の一実施の形態である遊技機を示す斜視図である。
【図２】図１に示した遊技機の正面図である。
【図３】図１の遊技機のベースドアの背面側を示す図である。
【図４】図３の分解斜視図である。
【図５】図１の遊技機におけるベースドアの背面側に設けられた部材の一部を示す分解斜視図である。
【図６】図１の遊技機におけるベースドアの背面側に取り付けられた遊技球移動規制部と中継基板のコネクタベースとを示す分解斜視図である。
【図７】図１の遊技機におけるベースドアの背面側の要部を示す正面図である。
【図８】図７の平面図である。
【図９】図７の斜視図である。
【符号の説明】
【００６８】
１  パチンコ遊技機（遊技機）
２  遊技盤
２ａ  遊技領域
３  遊技機本体
３ａ  ベースドア
３ｂ  ベース枠
３ｃ  ヒンジ
３ｄ  外枠部分
４  上皿部
４ａ  上皿
５  下皿部
５ｂ  下皿
６  カバー
８  シャッタレバー
８ａ，８ｂ  スピーカ
７  発射ハンドル
９  ガラス扉
１２  一般入賞口
１３  通過ゲート
１４  始動入賞口
１７  始動入賞口
１５  大入賞口
１６  アウト口
１８  電動役物構成部材
２１  液晶表示装置
２１ａ  表示領域
１００  主制御基板ケース
１１０  中継基板
１１０ａ  コネクタベース
１１０ａ−１  出力コネクタ
１１０ｂ  基板ベース
１１０ｃ  基板カバー
１１０ｃ−１  開口
１１０ｄ  基板コネクタ
１２０  遊技球移動規制部
１２０ａ  開口
１２０ｂ  斜面
１２０ｂ−１  平坦路
１２０ｂ−２  案内路
１５０  電源基板ケース
４００  貯留タンク
４００ａ  開口部
５００  基板ケースカバー
６００  整流樋
６００ａ  ガイドレール
７００  払出装置
７００ａ  ベース台
【図１】
2006271733.tif 000003
【図２】
2006271733.tif 000004
【図３】
2006271733.tif 000005
【図４】
2006271733.tif 000006
【図５】
2006271733.tif 000007
【図６】
2006271733.tif 000008
【図７】
2006271733.tif 000009
【図８】
2006271733.tif 000010
【図９】
2006271733.tif 000011